(57)【要約】【課題】ＨＳＤＰＡやＨＳＵＰＡなどの特定の通信方式を用いた通信を優先的に行うことができる移動機及び通信方式選択方法を提供する。【解決手段】移動機１は、特定の通信方式を用いた通信を行う移動機であって、複数の通信基地局２，３から報知情報を受信する送受信部１１と、送受信部１１が受信した報知情報から、移動機１が在圏可能なセルと当該セルで利用可能な通信方式とに関する複数のセル情報を取得する取得部１２と、取得部１２が取得した複数のセル情報から、特定の通信方式が利用可能な一のセルを選択して、当該セルに在圏する処理を行う制御部１５と、を備える。これにより、ＨＳＤＰＡやＨＳＵＰＡなどの特定の通信方式を用いた通信を優先的に行うことができる。【選択図】図１
2008300987.tif 000002
【特許請求の範囲】
【請求項１】
特定の通信方式を用いた通信を行う移動機であって、
複数の通信基地局から報知情報を受信する受信手段と、
前記受信手段が受信した前記報知情報から、当該移動機が在圏可能なセルと当該セルで利用可能な通信方式とに関する複数のセル情報を取得する取得手段と、
前記取得手段が取得した前記複数のセル情報から、前記特定の通信方式が利用可能な一のセルを選択して、当該セルに在圏する処理を行う選択処理手段と、
を備えることを特徴とする移動機。
【請求項２】
当該移動機が在圏した在圏セルに関する在圏履歴情報を格納する格納手段を更に備え、
前記選択処理手段は、前記格納手段に格納された前記在圏履歴情報に基づいて、前記複数のセル情報から、前記特定の通信方式が利用可能な一のセルを選択して、当該移動機が当該セルに在圏する処理を行う、
ことを特徴とする、請求項１に記載の移動機。
【請求項３】
前記格納手段は、前記在圏履歴情報を格納してから、所定時間が経過したという条件、及び、前記選択処理手段による前記処理が所定回数行われたという条件のうち少なくとも一方を満たす在圏履歴情報を削除する、
ことを特徴とする、請求項２に記載の移動機。
【請求項４】
前記格納手段に格納された前記在圏履歴情報が示すセルにおける前記報知情報の受信レベルを増加方向に補正する補正値を入力する入力手段を更に備え、
前記選択処理手段は、前記入力手段により入力された補正値によって補正された前記受信レベルに基づいて、前記複数のセル情報から、前記特定の通信方式が利用可能な一のセルを選択して、当該移動機が当該セルに在圏する処理を行う、
ことを特徴とする、請求項２又は３に記載の移動機。
【請求項５】
前記格納手段に格納された前記在圏履歴情報が示すセルにおける前記報知情報の受信レベルを増加方向に補正する補正値を予め記憶する記憶手段を更に備え、
前記選択処理手段は、前記記憶手段が記憶する補正値によって補正された前記受信レベルに基づいて、前記複数のセル情報から、前記特定の通信方式が利用可能な一のセルを選択して、当該移動機が当該セルに在圏する処理を行う、
ことを特徴とする、請求項２又は３に記載の移動機。
【請求項６】
前記特定の通信方式は、ＨＳＤＰＡ及びＨＳＵＰＡのうち少なくとも一方である、
ことを特徴とする、請求項１〜５の何れかに記載の移動機。
【請求項７】
特定の通信方式を用いた通信を行う移動機を用いた通信方式選択方法であって、
複数の通信基地局から報知情報を前記移動機が受信する受信ステップと、
前記受信ステップで受信した前記報知情報から、前記移動機が在圏可能なセルと当該セルで利用可能な通信方式とに関する複数のセル情報を前記移動機が取得する取得ステップと、
前記移動機が在圏した在圏セルに関する在圏履歴情報を格納する格納手段に格納された前記在圏履歴情報に基づいて、前記取得ステップで取得した前記複数のセル情報から、前記特定の通信方式が利用可能な一のセルを選択して、当該セルに在圏する処理を前記移動機が行う選択処理ステップと、
を備えることを特徴とする通信方式選択方法。
【発明の詳細な説明】
【技術分野】
【０００１】
本発明は、特定の通信方式を用いた通信を行うための移動機及び通信方式選択方法に関する。
【背景技術】
【０００２】
ＨＳＤＰＡ（HighSpeed Downlink Packet Access）やＨＳＵＰＡ（High SpeedUplink Packet Access）などの特定の通信方式を用いた通信や、より良好な電波状況の特定の基地局を経由した通信など、特定の条件での通信を優先的に行う技術が検討されている。例えば、下記の特許文献１には、現在待ち受け中の基地局よりも電波状況がより良好な特定の基地局があれば、待ち受け先をこの特定の基地局に優先的に変更する携帯電話端末が開示されている。
【０００３】
この携帯電話端末は、電波状況がより良好な特定の基地局の監視を行うにあたって、現在待ち受け中の基地局からの電波の受信レベルが所定レベル以上の場合、当該基地局から送出される報知情報にて通知されるパケット通信対応の周辺基地局からの電波の受信レベルだけを測定し、パケット通信に非対応の周辺基地局からの電波の受信レベルの測定を省略する。これにより、携帯電話端末における待ち受け時の消費電力を削減している。
【特許文献１】特開２００６−１４８５８７号公報
【発明の開示】
【発明が解決しようとする課題】
【０００４】
上記の特許文献１に開示された技術では、電波状況がより良好な特定の基地局があれば、携帯電話端末が在圏するセルをこの特定の基地局管轄下のセルに優先的に変更することができる。しかしながら、変更先のセルでＨＳＤＰＡやＨＳＵＰＡなどの特定の通信方式を用いた通信が可能か否かは、判定していない。
【０００５】
このように、電波状況のみでセルの変更を行うか否かの判定を行うため、ＨＳＤＰＡやＨＳＵＰＡなどの特定の通信方式を用いた通信が可能なセルに在圏できる位置に携帯電話端末が存在していても、このセルに携帯電話端末が在圏できない場合がある。
【０００６】
そこで、本発明は、上記問題点を解決するためになされたものであり、ＨＳＤＰＡやＨＳＵＰＡなどの特定の通信方式を用いた通信を優先的に行うことができる移動機及び通信方式選択方法を提供することを目的とする。
【課題を解決するための手段】
【０００７】
上記目的を達成するために、本発明に係る移動機は、特定の通信方式を用いた通信を行う移動機であって、複数の通信基地局から報知情報を受信する受信手段と、受信手段が受信した報知情報から、当該移動機が在圏可能なセルと当該セルで利用可能な通信方式とに関する複数のセル情報を取得する取得手段と、取得手段が取得した複数のセル情報から、特定の通信方式が利用可能な一のセルを選択して、当該セルに在圏する処理を行う選択処理手段と、を備えることを特徴とする。
【０００８】
本発明に係る移動機では、まず、受信手段が受信した報知情報から、当該移動機が在圏可能なセルと当該セルで利用可能な通信方式とに関する複数のセル情報を取得手段が取得する。そして、このセル情報から、特定の通信方式が利用可能な一のセルを選択して、当該セルに在圏する処理を選択処理手段が行う。これにより、特定の通信方式が利用可能なセルに移動機が在圏するため、ＨＳＤＰＡやＨＳＵＰＡなどの特定の通信方式を用いた通信を優先的に行うことができる。
【０００９】
また、移動機は、当該移動機が在圏した在圏セルに関する在圏履歴情報を格納する格納手段を更に備え、選択処理手段は、格納手段に格納された在圏履歴情報に基づいて、複数のセル情報から、特定の通信方式が利用可能な一のセルを選択して、当該移動機が当該セルに在圏する処理を行うのも好ましい。これにより、当該移動機が在圏したことがある在圏セルに関する在圏履歴情報に基づいて、特定の通信方式が利用可能なセルが選択される。このため、在圏した実績に基づいて、特定の通信方式を用いた通信を行うのにより適切なセルを選択することができる。
【００１０】
また、格納手段は、在圏履歴情報を格納してから、所定時間が経過したという条件、及び、選択処理手段による処理が所定回数行われたという条件のうち少なくとも一方を満たす在圏履歴情報を削除するのも好ましい。これにより、これら二つの条件のうち少なくとも一方を満たす在圏履歴情報が削除される。この結果、これら二つの条件のうち少なくとも一方を満たすまで移動機が在圏しなかった在圏セルに関する在圏履歴情報が削除されるため、特定の通信方式を用いた通信を行うのにより適切なセルを選択することができる。
【００１１】
また、移動機は、格納手段に格納された在圏履歴情報が示すセルにおける報知情報の受信レベルを増加方向に補正する補正値を入力する入力手段を更に備え、選択処理手段は、入力手段により入力された補正値によって補正された受信レベルに基づいて、複数のセル情報から、特定の通信方式が利用可能な一のセルを選択して、当該移動機が当該セルに在圏する処理を行うのも好ましい。これにより、入力手段により入力された補正値によって補正された受信レベルに基づいて、セル情報から、特定の通信方式が利用可能なセルを選択処理手段が選択して、当該移動機が当該セルに在圏する処理を行う。この結果、入力手段に入力する補正値を調整することによって、特定のセルに移動機を在圏させることができる。
【００１２】
また、移動機は、格納手段に格納された在圏履歴情報が示すセルにおける報知情報の受信レベルを増加方向に補正する補正値を予め記憶する記憶手段を更に備え、選択処理手段は、記憶手段が記憶する補正値によって補正された受信レベルに基づいて、複数のセル情報から、特定の通信方式が利用可能な一のセルを選択して、当該移動機が当該セルに在圏する処理を行うのも好ましい。これにより、記憶手段が予め記憶する補正値によって補正された受信レベルに基づいて、セル情報から、特定の通信方式が利用可能なセルを選択処理手段が選択して、当該移動機が当該セルに在圏する処理を行う。この結果、記憶手段が予め記憶する補正値を調整することによって、特定のセルに移動機を在圏させることができる。
【００１３】
また、特定の通信方式は、ＨＳＤＰＡ及びＨＳＵＰＡのうち少なくとも一方であるのも好ましい。これにより、移動機は、ＨＳＤＰＡ及びＨＳＵＰＡのうち少なくとも一方の通信方式を用いた通信を優先的に行うことができる。
【００１４】
上記目的を達成するために、本発明に係る通信方式選択方法は、特定の通信方式を用いた通信を行う移動機を用いた通信方式選択方法であって、複数の通信基地局から報知情報を移動機が受信する受信ステップと、受信ステップで受信した報知情報から、移動機が在圏可能なセルと当該セルで利用可能な通信方式とに関する複数のセル情報を移動機が取得する取得ステップと、移動機が在圏した在圏セルに関する在圏履歴情報を格納する格納手段に格納された在圏履歴情報に基づいて、取得ステップで取得した複数のセル情報から、特定の通信方式が利用可能な一のセルを選択して、当該セルに在圏する処理を移動機が行う選択処理ステップと、を備えることを特徴とする。
【００１５】
本発明に係る通信方式選択方法では、まず、受信ステップで受信した報知情報から、移動機が在圏可能なセルと当該セルで利用可能な通信方式とに関する複数のセル情報を移動機が取得ステップで取得する。そして、格納手段に格納された在圏履歴情報に基づいて、このセル情報から、特定の通信方式が利用可能な一のセルを選択して、当該セルに在圏する処理を移動機が選択処理ステップで行う。これにより、特定の通信方式が利用可能なセルに移動機が在圏するため、ＨＳＤＰＡやＨＳＵＰＡなどの特定の通信方式を用いた通信を優先的に行うことができる。また、移動機が在圏したことがある在圏セルに関する在圏履歴情報に基づいて、特定の通信方式が利用可能なセルが選択される。このため、在圏した実績に基づいて、特定の通信方式を用いた通信を行うのにより適切なセルを選択することができる。
【発明の効果】
【００１６】
本発明によれば、ＨＳＤＰＡやＨＳＵＰＡなどの特定の通信方式を用いた通信を優先的に行うことができる移動機及び通信方式選択方法を提供することができる。
【発明を実施するための最良の形態】
【００１７】
以下、添付図面を参照しながら本発明の好適な実施形態を説明する。なお、図面の説明において同一要素には同一符号を付し、重複する説明を省略する。
【００１８】
まず、実施形態に係る移動機の構成を説明する。図１は、実施形態に係る移動機の機能構成を示す図であり、図２は、実施形態に係る移動機の物理構成を示す図である。移動機１は、ＨＳＤＰＡ（High Speed Downlink Packet Access）やＨＳＵＰＡ（High Speed Uplink Packet Access）などの特定の通信方式を用いた通信を優先的に行うための携帯電話機やパソコンなどの装置である。図２に示すように、移動機１は、ＣＰＵ１０１、ＲＡＭ１０２、ＲＯＭ１０３、操作部１０４、無線通信部１０５、ディスプレイ１０６、アンテナ１０７等のハードウェアにより構成されている。これらの構成要素が動作することにより、以下に説明する各機能が発揮される。機能的な構成要素として、図１に示すように、移動機１は、送受信部１１（受信手段）、取得部１２（取得手段）、記憶部１３（格納手段、記憶手段）、操作部１４（入力手段）、制御部１５（選択処理手段）、マイク１６、音声処理部１７、及びスピーカ１８を有している。
【００１９】
送受信部１１は、複数の通信基地局２，３のそれぞれから報知情報を受信する部分である。報知情報とは、複数の通信基地局２，３により、当該通信基地局２，３の通信エリア内に存在する移動機１に対してブロードキャストされる情報である。この報知情報には、通信基地局２，３のそれぞれが管理するセルに関する情報（例えば、移動機１が在圏可能なセルを特定する情報や、このセルで利用可能な通信方式に関する情報）が含まれている。
【００２０】
取得部１２は、送受信部１１が受信した複数の報知情報から、複数のセル情報を抽出して取得する部分である。セル情報とは、移動機１が在圏可能なセルと、このセルで利用可能な通信方式とに関する情報である。このセルで利用可能な通信方式の例として、ＨＳＤＰＡやＨＳＵＰＡなどが挙げられる。
【００２１】
記憶部１３は、履歴情報（在圏履歴情報）を記憶して格納する部分（例えば、ＲＡＭなどのメモリ）である。履歴情報とは、移動機１が実際に在圏した在圏セルに関する情報である。記憶部１３は、移動機１がセルに在圏すると、在圏セルとしての、このセルに関する情報を格納する。
【００２２】
また、記憶部１３は、履歴情報を格納してから、所定時間が経過したという条件、及び、制御部１５による後述の在圏処理が所定回数行われたという条件のうち少なくとも一方を満たす履歴情報を削除（即ち記憶領域から消去）する。
【００２３】
また、記憶部１３は、後述する補正値を予め記憶する。
【００２４】
操作部１４は、移動機１のユーザが補正値を入力する部分である。補正値とは、記憶部１３に格納された履歴情報が示すセルにおける報知情報の受信レベルを増加方向に補正するための値である。
【００２５】
制御部１５は、取得部１２が取得した複数のセル情報から、特定の通信方式が利用可能なセルを１つ選択して、選択されたセルに対する在圏処理を行う部分である。在圏処理とは、選択されたセルに移動機１が在圏するために必要な処理を行う部分である。特定の通信方式は、記憶部１３において予め定められており、例えば、ＨＳＤＰＡ及びＨＳＵＰＡのうち少なくとも一方である。
【００２６】
また、制御部１５は、記憶部１３に格納された履歴情報に基づいて、複数のセル情報から、特定の通信方式が利用可能なセルを１つ選択して、選択されたセルに対する在圏処理を行う。これにより、在圏した実績としての履歴情報に基づいて、特定の通信方式を用いた通信を行うのにより適切なセルを選択することができる。
【００２７】
更に、制御部１５は、操作部１４により入力された補正値によって受信レベルを補正し、補正された受信レベルに基づいて、複数のセル情報から、特定の通信方式が利用可能なセルを１つ選択して、選択されたセルに対する在圏処理を行う。これにより、移動機１のユーザが補正値を調整することによって、在圏させたい特定のセルに移動機１を在圏させることができる。
【００２８】
また、制御部１５は、記憶部１３が予め記憶する補正値によって受信レベルを補正し、補正された受信レベルに基づいて、複数のセル情報から、特定の通信方式が利用可能なセルを１つ選択して、選択されたセルに対する在圏処理を行う。これにより、移動機１のユーザが補正値を調整することによって、在圏させたい特定のセルに移動機１を在圏させることができる。
【００２９】
マイク１６は、移動機１のユーザからの音声を電気信号に変換して音声処理部１７に出力する部分である。音声処理部１７は、マイク１６から出力された電気信号からノイズを取り除くなどの処理を行い、処理済の電気信号をスピーカ１８に出力する部分である。スピーカ１８は、音声処理部１７から出力された電気信号を音声に変換する部分である。
【００３０】
次に、記憶部１３が履歴情報を記憶して格納する方法について説明する。図３〜図５は、記憶部１３による履歴情報の格納方法を説明するための説明図である。ここでは、記憶部１３において予め定められた特定の通信方式は、ＨＳＤＰＡであるとして説明するが、例えばＨＳＵＰＡでもよく、特に限定されない。
【００３１】
まず、図３に示すように、セルＣ１〜Ｃ４が寄り集まった領域に移動機１が位置しているとする。ここで、セルＣ１〜Ｃ３はＨＳＤＰＡの通信方式が利用可能なＨＳＤＰＡセル（無地で示されている）であり、セルＣ４はＨＳＤＰＡの通信方式が利用不可能な非ＨＳＤＰＡセル（網掛けで示されている）である。最初に、移動機１は、複数の通信基地局（図示せず）から受信した報知情報から、移動機１が在圏可能なセルＣ１〜Ｃ４と、セルＣ１〜Ｃ４のそれぞれにおけるＨＳＤＰＡの利用可否と、に関する複数のセル情報を取得する。
【００３２】
そして、移動機１は、複数のセル情報から、ＨＳＤＰＡセルであるセルＣ１を選択して上記在圏処理後、セルＣ１に在圏している。ここで、記憶部１３は、在圏セルとしてのセルＣ１に関する履歴情報を格納する。なお、例えば移動機１が移動するなどでセルの移行や変更が行われる場合、制御部１５は、格納されたセルＣ１に関する履歴情報に基づいてセル情報からセルを選択して、選択されたセルに対する在圏処理を行う。
【００３３】
このとき、移動機１のユーザが操作部１４から入力した任意の大きさの補正値によって、記憶部１３に格納された履歴情報が示すセルにおける報知情報の受信レベルを補正し、セルＣ１〜Ｃ３の中から特定のセルが優先的に選択されやすくなるようにしてもよい。例えば、セルＣ３に関するセル情報を含む報知情報の受信レベルをＡとし、セルＣ４に関するセル情報を含む報知情報の受信レベルをＢとした場合、Ａを補正値ｘにより加算補正してＡ＋ｘを算出し、このＡ＋ｘとＢとに基づいて（例えば比較するなどして）、制御部１５は、セル情報からセル（例えばセルＣ３）を選択して在圏処理を行ってもよい。また、加算ではなく、乗算による補正を行ってもよい。このように、移動機１のユーザが入力する補正値を調整することによって、特定のセル（ここではセルＣ３）に移動機１を在圏させることができる。
【００３４】
次に、図４に示すように、移動機１が在圏中のセルＣ１からＣ２，Ｃ３，Ｃ４の順に遷移（又は移動）したとする。ここで、遷移先であるセルＣ２，Ｃ３，Ｃ４のうち、特定の通信方式が利用可能なセルとして移動機１が選択して在圏したのは、ＨＳＤＰＡセルであるセルＣ２，Ｃ３のみとする。移動機１がセルＣ２に遷移してこのセルを選択して在圏すると、記憶部１３は、在圏セルとしてのセルＣ２に関する履歴情報を、セルＣ１に追加して格納する。更に、移動機１がセルＣ３に遷移してこのセルを選択して在圏すると、記憶部１３は、在圏セルとしてのセルＣ３に関する履歴情報を、セルＣ１，Ｃ２に追加して格納する。更に、移動機１がセルＣ４に遷移してこのセルに在圏しても、特定の通信方式が利用可能なセルとして移動機１はセルＣ４を選択していないため、記憶部１３における履歴情報に変更はない。
【００３５】
次に、図５に示すように、記憶部１３が履歴情報を削除する条件が設定されている場合において、図４と同様の状況で移動機１が遷移したとする。まず、移動機１がセルＣ２に遷移してこのセルを選択して在圏すると、記憶部１３は、在圏セルとしてのセルＣ２に関する履歴情報を、セルＣ１に追加して格納する。
【００３６】
更に、移動機１がセルＣ３に遷移してこのセルを選択して在圏すると、記憶部１３は、在圏セルとしてのセルＣ３に関する履歴情報を、セルＣ１，Ｃ２に追加して格納する。ここで、セルＣ１に関する履歴情報が格納されてから、制御部１５による在圏処理の合計回数が所定回数（ここでは２回とする）に達したので、上述した条件が満たされたこととなり、セルＣ１に関する履歴情報が削除される（網掛けで示されている）。
【００３７】
更に、移動機１がセルＣ４に遷移してこのセルに在圏しても、特定の通信方式が利用可能なセルとして移動機１はセルＣ４を選択していないため、記憶部１３は履歴情報を追加しない。ここで、セルＣ２に関する履歴情報が格納されてから所定時間（即ち、セルＣ２に関する履歴情報の有効期間）が経過しているので、上述した条件が満たされたこととなり、セルＣ２に関する履歴情報が削除される（網掛けで示されている）。
【００３８】
次に、移動機１において行われる処理（通信方式選択方法）の流れを説明する。図６〜図８のぞれぞれは、移動機１において行われる処理の流れの第１例、第２例、及び第３例を示すフローチャートである。
【００３９】
まず、第１例について説明する。図６に示すように、まず、移動機１が複数の通信基地局から報知情報を受信する（ステップＳ１０、受信ステップ）と、報知情報から複数のセル情報を取得する（ステップＳ２０、取得ステップ）。セル情報とは、移動機１が在圏可能なセルと、当該セルで利用可能な通信方式とに関する情報である。そして、移動機１は、移行先のセルの判定処理を開始する（ステップＳ３０）。具体的には、記憶部１３に格納された履歴情報に基づいて、特定の通信方式が利用可能な移行先のセルの選択を開始する。
【００４０】
ここで、ステップＳ２０で取得した複数のセル情報から、特定の通信方式が利用可能なセルは選択可能か否かが制御部１５により判定される（ステップＳ４０）。複数のセル情報に特定の通信方式が利用可能なセルが含まれており選択可能な場合、当該セルに対する在圏処理を実施するとともに、在圏セルとしての当該セルに関する履歴情報を格納し（ステップＳ４１）、ステップＳ５０に移行する。一方、セル情報に特定の通信方式が利用可能なセルが含まれておらず選択できない場合、後述のステップＳ５０に移行する。そして、ステップＳ５０で、移動機１は、移行先のセルの判定処理を終了する。なお、ステップＳ３０，Ｓ４０，Ｓ４１，及びＳ５０が、選択処理ステップに相当する。
【００４１】
次に、第２例について説明する。図７に示すように、まず、移動機１が通信基地局から報知情報を受信する（ステップＳ１０、受信ステップ）と、報知情報からセル情報を取得する（ステップＳ２０、取得ステップ）。
【００４２】
そして、記憶部１３に履歴情報は格納されているか否かが制御部１５により判定される（ステップＳ２１）。記憶部１３に履歴情報が格納されている場合、操作部１４により入力された補正値によって受信レベルを補正（ステップＳ２５）し、上記したステップＳ３０に移行する。一方、記憶部１３に履歴情報が格納されていない場合、上記したステップＳ３０に移行する。ステップＳ３０移行の処理の流れは、第１例と同様である。
【００４３】
次に、第３例について説明する。図８に示すように、まず、移動機１が通信基地局から報知情報を受信する（ステップＳ１０、受信ステップ）と、報知情報からセル情報を取得する（ステップＳ２０、取得ステップ）。
【００４４】
そして、記憶部１３に履歴情報は格納されているか否かが制御部１５により判定される（ステップＳ２１）。記憶部１３に履歴情報が格納されていない場合、上記したステップＳ３０に移行する。一方、記憶部１３に履歴情報が格納されている場合、格納されている履歴情報は有効期間内であるか否かが制御部１５により判定される（ステップＳ２３）。履歴情報が有効期間内でない場合、上記したステップＳ３０に移行する。一方、履歴情報が有効期間内である場合、上記したステップＳ２５に移行する。ステップＳ２５，Ｓ３０移行の処理の流れは、第２例と同様である。
【００４５】
以上のように、本発明に係る移動機１及び通信方式選択方法では、まず、受信ステップで受信した報知情報から複数のセル情報を移動機１が取得ステップで取得する。そして、履歴情報に基づいて、このセル情報から、特定の通信方式が利用可能な一のセルを選択して、当該セルに在圏する処理を移動機１が選択処理ステップで行う。これにより、特定の通信方式が利用可能なセルに移動機１が在圏するため、ＨＳＤＰＡやＨＳＵＰＡなどの特定の通信方式を用いた通信を優先的に行うことができる。また、履歴情報に基づいて、特定の通信方式が利用可能なセルが選択される。このため、移動機１が過去に在圏した実績に基づいて、特定の通信方式を用いた通信を行うのにより適切なセルを選択することができる。
【００４６】
また、上述した二つの条件のうち少なくとも一方を満たすまで移動機１が在圏しなかった在圏セルに関する履歴情報が削除されるため、特定の通信方式を用いた通信を行うのにより適切なセルを短時間で選択することができる。
【００４７】
また、移動機１のユーザが操作部１４に入力した補正値によって補正された受信レベルに基づいて、セル情報から、特定の通信方式が利用可能なセルを制御部１５が選択して、移動機１が当該セルに在圏する処理を行う。この結果、操作部１４に入力する補正値を移動機１のユーザが調整することによって、特定のセルに移動機１を在圏させることができる。
【００４８】
また、記憶部１３が予め記憶する補正値によって補正された受信レベルに基づいて、セル情報から、特定の通信方式が利用可能なセルを制御部１５が選択して、移動機１が当該セルに在圏する処理を行う。この結果、記憶部１３に記憶させる補正値を移動機１のユーザが調整することによって、特定のセルに移動機１を在圏させることができる。
【００４９】
また、移動機１は、ＨＳＤＰＡ及びＨＳＵＰＡのうち少なくとも一方の通信方式を用いた高速データ通信を優先的に行うことができる。
【００５０】
以上、本発明者によってなされた発明を実施形態に基づき具体的に説明したが、本発明は上記実施形態に限定されるものではなく、種々の変形が可能である。例えば、特定の通信方式は、ＨＳＤＰＡやＨＳＵＰＡに限定されない。また、移動機１に提供される通信サービスの充実度合い（即ち、通信速度などの通信能力）が不十分であるなど、特定の通信方式が利用できないセルに移動機１が在圏している場合に、補正値で補正した報知情報の受信レベルだけに基づいて移行先のセルの判定を行うのではなく、この受信レベル及び上記の充実度合いの両方が所定基準レベル以上であるか否かに基づいて、移行先のセルの判定を行ってもよい。
【００５１】
例えば、移動機１がパケット通信中に移行先のセルでパケットベアラ規制状態にある場合に、補正値で補正した報知情報の受信レベルだけに基づいて移行先のセルの判定を行うのではなく、この受信レベル及び上記のパケット通信サービスの充実度合い（即ち、パケット通信が利用可能か否か）に基づいて、移行先のセルの判定を行ってもよい。
【図面の簡単な説明】
【００５２】
【図１】実施形態に係る移動機の機能構成を示す図である。
【図２】実施形態に係る移動機の物理構成を示す図である。
【図３】履歴情報の格納方法を説明するための説明図である。
【図４】履歴情報の格納方法を説明するための説明図である。
【図５】履歴情報の格納方法を説明するための説明図である。
【図６】移動機の処理の流れの第１例を示すフローチャートである。
【図７】移動機の処理の流れの第２例を示すフローチャートである。
【図８】移動機の処理の流れの第３例を示すフローチャートである。
【符号の説明】
【００５３】
１…移動機、２，３…通信基地局、１１…送受信部、１２…取得部、１３…記憶部、１４…操作部、１５…制御部、１６…マイク、１７…音声処理部、１８…スピーカ、１０４…操作部、１０５…無線通信部、１０６…ディスプレイ、１０７…アンテナ、Ｃ１〜Ｃ４…セル。
【図１】
2008300987.tif 000003
【図２】
2008300987.tif 000004
【図３】
2008300987.tif 000005
【図４】
2008300987.tif 000006
【図５】
2008300987.tif 000007
【図６】
2008300987.tif 000008
【図７】
2008300987.tif 000009
【図８】
2008300987.tif 000010